(57)【要約】【課題】患者の自宅、学校、看護施設等の多様な歯科診療の現場において、インスツルメントの操作性に優れた装着型歯科診療装置を提供する。【解決手段】歯科診療モジュール２を身体Ｍに装着して診療するための装着型歯科診療装置１であって、歯科診療モジュール２は、少なくとも診療するためのインスツルメント５を有し、インスツルメント５を保持するモジュール支持部３と、モジュール支持部３を身体Ｍに装着する装着具４と、を備えた。歯科診療モジュール２には、操作部、電源部、および制御部を含めることができる。装着具４は、例えば、腰ベルト４１と、ショルダベルト４２と、を備える。【選択図】図１
2019017725.tif 000002
【特許請求の範囲】
【請求項１】
歯科診療モジュールを身体に装着して診療するための装着型歯科診療装置であって、
前記歯科診療モジュールは、少なくとも診療するためのインスツルメントを有し、
前記インスツルメントを支持するモジュール支持部と、
このモジュール支持部を前記身体に装着する装着具と、を備えたこと、
を特徴とする装着型歯科診療装置。
【請求項２】
前記インスツルメントは、ハンドピースを装着する治療器具を備え、
前記歯科診療モジュールは、前記治療器具を駆動する駆動源へ当該治療器具を導通させる導通管を備えたこと、
を特徴とする請求項１に記載の装着型歯科診療装置。
【請求項３】
前記歯科診療モジュールは、さらに前記インスツルメントに駆動エネルギーを供給するエネルギー供給部と、前記インスツルメントの動作を制御する制御部と、を有し、
前記エネルギー供給部および前記制御部を保持するモジュール支持部と、このモジュール支持部を前記身体に装着する装着具と、
を備えたこと、
を特徴とする請求項１または請求項２に記載の装着型歯科診療装置。
【請求項４】
前記歯科診療モジュールは、さらに前記インスツルメントを操作する操作部と、
前記操作部を保持する操作部保持部と、を有し、
前記操作部保持部は、前記身体、前記装着具、および前記インスツルメントの少なくともいずれかに装着自在であること、
を特徴とする請求項１乃至請求項３のいずれか１項に記載の装着型歯科診療装置。
【請求項５】
前記操作部は有線および無線の少なくとも一方で操作すること、
を特徴とする請求項４に記載の装着型歯科診療装置。
【請求項６】
前記エネルギー供給部は電源を供給する電源供給部であって、前記電源供給部は電池、二次電池もしくは外部電源であること、
を特徴とする請求項３に記載の装着型歯科診療装置。
【請求項７】
前記歯科診療モジュールは、前記インスツルメントと外部コンプレッサとを連結するエア供給端子を備えたこと、
を特徴とする請求項１乃至請求項６のいずれか１項に記載の装着型歯科診療装置。
【請求項８】
前記エネルギー供給部は圧縮エアを供給する圧縮エア供給部であって、前記圧縮エア供給部はエアタンクもしくは外部エア供給源であること、
を特徴とする請求項３に記載の装着型歯科診療装置。
【請求項９】
前記歯科診療モジュールは、前記インスツルメントに診療液を供給する注液装置をさらに有し、
前記注液装置は、貯留容器に貯留された前記診療液を大気圧に開放した状態で吸引するポンプと、このポンプから前記診療液を前記インスツルメントへ供給する送出管と、を備えたこと、
を特徴とする請求項２または請求項３に記載の装着型歯科診療装置。
【請求項１０】
前記歯科診療モジュールは、前記インスツルメントに診療液を供給する注液装置をさらに有し、
前記注液装置は、前記診療液が貯留された貯留容器に圧縮エアを供給する供給管と前記診療液を前記インスツルメントへ供給する送出管と、を備えたこと、
を特徴とする請求項２または請求項３に記載の装着型歯科診療装置。
【請求項１１】
前記歯科診療モジュールは、前記インスツルメントに診療液および圧縮エアを供給する診療流体供給装置を有し、
前記診療流体供給装置は、圧縮エアが充填されたエアタンクと、前記診療液が貯留された診療液タンクと、この診療液タンクと前記エアタンクとを連通する連通管と、前記エアタンクおよび前記診療液タンクと前記インスツルメントとを連通する送出管と、をさらに備えたこと、
を特徴とする請求項１乃至請求項８のいずれか１項に記載の装着型歯科診療装置。
【請求項１２】
前記インスツルメントは、シリンジであること、を特徴とする請求項１１に記載の装着型歯科診療装置。
【請求項１３】
前記診療流体供給装置は、前記エアタンクと外部コンプレッサとを連結するエア充填接続部を備えたこと、を特徴とする請求項１１に記載の装着型歯科診療装置。
【請求項１４】
前記装着具は、前記導通管および前記送出管のうち少なくとも一方からなる導通送出管を支持する導通送出管支持部を有し、
前記導通送出管支持部は、前記身体の背部から胸部に渡って引き出し可能に前記導通送出管を支持していること、
を特徴とする請求項９または請求項１０に記載の装着型歯科診療装置。
【請求項１５】
前記導通送出管または前記導通送出管支持部のうち少なくとも一方は樹脂部材を有すること、
を特徴とする請求項１４に記載の装着型歯科診療装置。
【請求項１６】
前記導通送出管支持部は、前記治療器具を前記モジュール支持部に収容した収容時において、前記導通送出管が前記身体の背部側で当該身体に対して余剰長さを有するように当該導通送出管を支持し、
前記治療器具の使用時において、前記導通送出管が前記身体の胸部側で当該身体に対して余剰長さを有するように当該導通送出管を支持していること、
を特徴とする請求項１４乃至請求項１５のいずれか１項に記載の装着型歯科診療装置。
【請求項１７】
前記装着具は、腰ベルトおよびショルダベルトのうちの少なくとも一方を有し、
前記腰ベルトおよび前記ショルダベルトのうちの少なくとも一方に前記歯科診療モジュールが保持されていること、
を特徴とする請求項１乃至請求項１６のいずれか１項に記載の装着型歯科診療装置。
【請求項１８】
前記腰ベルトと、前記腰ベルトに連結された前記ショルダベルトと、を有し、前記腰ベルトおよび前記ショルダベルトのうち少なくとも一方に前記歯科診療モジュールが保持されていること、
を特徴とする請求項１７に記載の装着型歯科診療装置。
【請求項１９】
前記モジュール支持部は、少なくともインスツルメント保持部を有し、
前記インスツルメント保持部は、前記身体と前記インスツルメントが接触をしないように当該インスツルメントと当該身体との間に介在させる身体保護手段を有すること、
を特徴とする請求項１乃至請求項１８のいずれか１項に記載の装着型歯科診療装置。
【請求項２０】
前記身体保護手段は、滅菌可能な耐熱性材質からなること、
を特徴とする請求項１９に記載の装着型歯科診療装置。
【請求項２１】
前記身体保護手段は、取外し可能なこと、
を特徴とする請求項１９乃至請求項２０のいずれか１項に記載の装着型歯科診療装置。
【発明の詳細な説明】
【技術分野】
【０００１】
本発明は、装着型歯科診療装置に係り、特に、歯科診療モジュールを身体に装着して診療するための装着型歯科診療装置に関する。
【背景技術】
【０００２】
従来、歯科診療サービスを提供するための可搬式歯科診療装置が知られている（例えば、特許文献１）。特許文献１に記載された可搬式歯科診療装置は、訪問先での移動診療時に使用する歯科診療モジュールを運搬可能なケースに収容することで、訪問先で機動的に対応できる。
【先行技術文献】
【特許文献】
【０００３】
【特許文献１】特開２０１５−１９８６５号公報（請求項４、図１〜図３参照）
【発明の概要】
【発明が解決しようとする課題】
【０００４】
しかしながら、特許文献１に記載の可搬式歯科診療装置は、ケースに歯科診療モジュールを収容して使用するため、それぞれ個別に事情が異なる多様な訪問診療の現場に適用しにくい場合があった。
【０００５】
訪問診療の現場は、患者の自宅、被災地の避難施設、病院、看護施設等の種々の異なる環境下に置かれている。例えば、訪問診療の現場は、ケースやインスツルメント等の機器を置く場所がなかったり、置く場所があっても機器が不安定で操作性が悪かったり、インスツルメントホースの長さが足りず、インスツルメントが患者の口腔まで届かなかったりする等の不便さがある。このため、歯科医師、歯科衛生士や助手等（以下、「歯科医師等」という。）が円滑に効率よく診療しにくい場合があった。
【０００６】
本発明は、前記した事情に鑑みてなされたものであり、多様な歯科診療の現場において、インスツルメントの操作性に優れた装着型歯科診療装置を提供することを課題とする。
【課題を解決するための手段】
【０００７】
前記課題を解決するため、歯科診療モジュールを身体に装着して診療するための装着型歯科診療装置であって、前記歯科診療モジュールは、少なくとも診療するためのインスツルメントを有し、前記インスツルメントを保持するモジュール支持部と、このモジュール支持部を前記身体に装着する装着具と、を備えた。
【発明の効果】
【０００８】
本発明は、多様な歯科診療の現場において、インスツルメントの操作性に優れた装着型歯科診療装置を提供することができる。
【図面の簡単な説明】
【０００９】
【図１】本発明の第１の実施形態に係る装着型歯科診療装置の外観を示す斜視図であり、身体に装着した状態を斜め前から見ている。
【図２】本発明の第１の実施形態に係る装着型歯科診療装置の外観を後ろから見た斜視図である。
【図３】本発明の第１の実施形態に係る装着型歯科診療装置の外観を前から見た斜視図である。
【図４】本発明の第１の実施形態に係る装着型歯科診療装置における歯科診療モジュールの内容を示す構成図である。
【図５】本発明の第１の実施形態に係る装着型歯科診療装置における歯科診療モジュールの動作を示す斜視図であり、（ａ）はインスツルメントを後方へ引き戻した状態、（ｂ）は前方へ引き出した状態を示す。
【図６】本発明の第２の実施形態に係る装着型歯科診療装置の外観を示す斜視図であり、身体に装着した状態を斜め前から見ている。
【図７】本発明の第２の実施形態に係る装着型歯科診療装置における歯科診療モジュールの内容を示す構成図である。
【図８】本発明の第３の実施形態に係る装着型歯科診療装置における歯科診療モジュールの内容を示す構成図である。
【図９】本発明の第１の実施形態に係る操作部の変形例を示す斜視図である。
【発明を実施するための形態】
【００１０】
本発明の第１の実施形態に係る装着型歯科診療装置１について、適宜図１から図５を参照しながら詳細に説明する。装着型歯科診療装置１は、歯科診療モジュール２を身体に装着して歯科医師等が診療するためインスツルメントである。
【００１１】
＜全体構成＞
装着型歯科診療装置１は、例えば、図１に示すように、歯科診療モジュール２を保持するモジュール支持部３と、モジュール支持部３を身体Ｍに装着する装着具４と、を備えている。装着具４は、インスツルメント５等を保持するモジュール支持部３を有する腰ベルト４１と、腰ベルト４１に連結されたショルダベルト４２と、を備えている。
【００１２】
＜歯科診療モジュール＞
歯科診療モジュール２は、医師等が診療目的や診療内容に応じて、必要なインスツルメント５等を適宜選定したり、組み合わせたりして構成される。
【００１３】
例えば、図４に示すように、歯科診療モジュール２は、診療するための種々のインスツルメント５と、インスツルメント５に診療液Ｈ（洗浄液、消毒液、水等の液体）を供給する注液装置６と、圧縮エアを供給するエア供給部８１と、エネルギー供給部である電源部８２と、インスツルメント５の動作を制御する制御部８３と、インスツルメント５を操作する操作部８４と、を備えている。
【００１４】
エア供給部８１、電源部８２、および制御部８３は、制御ボックス８に収容されている。診療液Ｈは、歯科診療に使用するための洗浄液、消毒液、水等の液体であるが、特に限定されない。
【００１５】
エネルギー供給部は、インスツルメント５に駆動エネルギーを供給する手段である。エネルギー供給部は、インスツルメント５がマイクロモータ５１の場合には電力を供給し、圧縮エアを駆動エネルギーとするエアタービンやエアスケーラ(不図示)等の場合には圧縮エアを供給する。
【００１６】
なお、本実施形態においては、エネルギー供給部を電源部８２として構成したが、これに限定されるものではなく、インスツルメント５がエアタービン等(不図示)の場合には、例えば、圧縮エアを供給する圧縮エア供給部８１ｂから駆動エネルギーである圧縮エアをエアタービン等へ供給する。
【００１７】
＜インスツルメント＞
例えば、インスツルメント５は、治療器具であるマイクロモータ５１と、マイクロモータ５１と制御ボックス８とを導通させる導通送出管であるマイクロモータ導通送出管５２と、スケーラ５３と、スケーラ５３と制御ボックス８とを導通させる導通送出管であるスケーラ導通送出管５４と、を備えている。
【００１８】
ここで、「導通送出管」は、インスツルメント５に必要な駆動エネルギー、診療液Ｈ等を供給するための供給流路であり、複数の供給管を束ねたものでもよいし、複数の供給管を１つの管に内装してもよい。
【００１９】
「インスツルメント５」は、説明の便宜上、個々のインスツルメント５であるマイクロモータ５１とスケーラ５３等の治療器具を区別する必要がない場合に総称して表記する。
【００２０】
マイクロモータ５１には、先端部にハンドピースＨＰが装着されている。マイクロモータ導通送出管５２には、マイクロモータ５１を駆動する駆動源である電源部８２等へ導通させる導通管であるケーブル５２ａ、診療液Ｈを供給する送出管である診療液配管５２ｂ、および圧縮エアを供給するエア供給管８１ｂ１が含まれている。
【００２１】
なお、本実施形態においては、治療器具としてマイクロモータ５１を使用する例を説明したが、マイクロモータ５１でなくエアで駆動させるエアタービン（不図示）であっても、駆動源の違いがあるが同様に構成することができる。
【００２２】
スケーラ導通送出管５４には、スケーラ５３へ電力を供給する導通管であるケーブル５４ａ、および診療液Ｈを供給する送出管である診療液配管５４ｂが内装されている。
【００２３】
＜注液装置＞
注液装置６は、診療液Ｈを貯留する貯留容器６１と、診療液Ｈを吸引するポンプ６２と、ポンプ６２からマイクロモータ５１へ連通する診療液配管５２ｂと、診療液配管５２ｂに配設された電磁弁５２ｃと、ポンプ６２からスケーラ５３へ連通する診療液配管５４ｂと、診療液配管５４ｂに配設された電磁弁５４ｃと、を備えている。
【００２４】
貯留容器６１は、腰ベルト４１に固定された容器ホルダ６１ａ（図２参照）によって腰ベルト４１に取り付けられている。貯留容器６１に貯留された診療液Ｈを大気圧に開放した状態で吸引するので、貯留容器６１は、ペットボトルを使用することができる。これにより、訪問先での歯科診療時においても可搬性、機動性、入手性に優れ、利便性を向上させることができる。
【００２５】
ポンプ６２は、貯留容器６１に貯留された診療液Ｈを大気圧に開放した状態で吸入管６２ａから吸引して、マイクロモータ５１およびスケーラ５３へそれぞれ診療液配管５２ｂおよび診療液配管５４ｂを介して診療液Ｈを供給する。ポンプ６２は、電源部８２から供給される電力によって駆動するポンプを使用する。マイクロモータ５１およびスケーラ５３へ注液量は、それぞれ電磁弁５２ｃ、電磁弁５４ｃによって制御され、後記する水量ボリュームボタン８４ｂ２で調整する。
【００２６】
なお、注液装置６は、ポンプ６２の代わりに診療液Ｈを貯留する貯留容器６１と圧縮エアを貯留容器６１に供給する供給管と、貯留容器６１から診療液Ｈをインスツルメント５へ供給する送出管と、を備えていてもよい。
【００２７】
外部コンプレッサＣや圧縮エアを充填したエアタンクから圧縮エアを貯留容器６１に充填して貯留容器内に圧縮圧力を発生させることで、インスツルメント５に診療液Ｈを供給するようになる。
【００２８】
＜制御ボックス＞
エア供給部８１は、外部コンプレッサＣに接続するためのエア充填接続部８１ａと、エア充填接続部８１ａとマイクロモータ５１とを連結するエア供給管８１ｂと、を備えている。エア供給部８１は、エア充填接続部８１ａに接続された外部コンプレッサＣによって、マイクロモータ導通送出管５２からマイクロモータ５１へモータ冷却用の圧縮エアや患部洗浄用のスプレーエアを供給する。
【００２９】
なお、本実施形態においては、説明の便宜上、エア供給部８１とエネルギー供給部である電源部８２とを区別して説明するが、上記圧縮エアはモータ冷却用に限定されない。例えば、圧縮エアにより、エアスケーラ等のインスツルメントの駆動、制御部、操作部等の制御を行うことも含まれる。
つまり、エア供給部８１とエネルギー供給部とは、厳格に区別されるものではなく、インスツルメント５がエアタービン等(不図示)の場合には、例えば、圧縮エア供給部８１ｂから圧縮エアをエアタービン等へ供給する。
【００３０】
電源部８２は、バッテリ８２ａと、商用電源等の外部電源に接続するための接続部８２ｂと、電源スイッチ８２ｃと、を備えている。電源部８２は、接続部８２ｂに外部電源を接続した場合には外部電力を使用してインスツルメント５を駆動したり、バッテリ８２ａに充電したりすることができる。また、接続部８２ｂから外部電源を切り離した場合にはバッテリ８２ａを使用してインスツルメント５を駆動することができる。
【００３１】
制御部８３は、マイクロモータ５１の動作を制御するマイクロモータ基板８３ａと、スケーラ５３の動作を制御するスケーラ基板８３ｂと、を備えている。
【００３２】
操作部８４は、マイクロモータ５１およびスケーラ５３を駆動させる操作スイッチ８４ａと、水量や回転速度を制御するコントローラ部８４ｂと、を備えている。
操作スイッチ８４ａは、手元で操作するためのスイッチを適宜配設して構成することができる。例えば、マイクロモータ５１やスケーラ５３のオン・オフスイッチ８４ａ１を設ける。
【００３３】
なお、本実施形態においては、操作スイッチ８４ａは、手に持って操作するためのスイッチとして構成したが、これに限定されるものではなく、図９に示すように、操作スイッチ８４ａを保持する操作部保持部８５を設けてもよい。操作部保持部８５は、身体Ｍ、装着具４、およびインスツルメント５の少なくともいずれかに装着自在に構成してもよい。操作部保持部８５ａは、身体Ｍに設けた場合である。操作部保持部８５ｂは、装着具４に設けた場合である。操作部保持部８５ｃは、インスツルメント５に設けた場合である。
【００３４】
具体的には、操作部保持部８５ａでは、操作スイッチ８４ａをリング形状にしてマイクロモータ５１やスケーラ５３に巻き付けて操作する(操作スイッチ８４ａ１を参照)。操作部保持部８５ｂでは、ショルダベルト４２（図１参照）に取り付けて操作スイッチ８４ａを操作する(操作スイッチ８４ａ２を参照)。操作部保持部８５ａでは、手首や指等の身体Ｍに取り付けて(操作スイッチ８４ａ３を参照)操作スイッチ８４ａを操作することができる。
【００３５】
なお、「操作部保持部８５を装着具４に装着自在に設けた場合」には、本実施形態のように装着具４に直接、操作部保持部８５ａを設けた場合の他、例えば制御ボックス８にマグネットやフック等を利用して取り付けて、制御ボックス８等を介して間接的に装着具４に操作部保持部８５を装着自在に設けた場合が含まれる。
【００３６】
コントローラ部８４ｂは、操作スイッチ８４ａよりも操作する頻度が少ないスイッチ等を配設する。例えば、コントローラ部８４ｂには、選択スイッチ８４ｂ１、水量ボリュームボタン８４ｂ２、パワーボリュームボタン８４ｂ３、オプチカボタン８４ｂ４、正転逆転ボタン８４ｂ５、注水ボタン８４ｂ６を設ける。
【００３７】
選択スイッチ８４ｂ１は、マイクロモータ５１またはスケーラ５３を選択する。水量ボリュームボタン８４ｂ２は、マイクロモータ５１およびスケーラ５３へ供給する診療液Ｈの供給量を調整する。パワーボリュームボタン８４ｂ３は、マイクロモータ５１やスケーラ５３の駆動量を調整する。オプチカボタン８４ｂ４は、インスツルメント５に設けられた照明用のランプ（不図示）を点灯する。正転逆転ボタン８４ｂ５は、マイクロモータ５１の回転方向を選択する。注水ボタン８４ｂ６は、診療液Ｈを患部に注水する。コントローラ部８４ｂは、ショルダベルト４２（図１参照）に取り付けたり、患者のそばに置いたりして使用する。
【００３８】
また上記操作部８４はプッシュ式のスイッチを図示しているが、これに限定されるものでなく、一般的に流通しているスイッチ全般に置き換えることもできる。
【００３９】
さらに上記操作部８４は有線、無線に限定されない。例えばスマートフォンなどの外部機器と制御部８３、操作部８４を連携して、音声認識、画像認識による制御や操作、画面に表示されたスライダーバーによるインスツルメント５の駆動量の制御や操作なども考えられる。
【００４０】
＜装着具＞
図１に示すように、モジュール支持部３は、マイクロモータ５１およびスケーラ５３を保持するインスツルメント保持部３１と、図２に示すように、制御ボックス８を保持する制御ボックス保持部３２と、容器ホルダ６１ａを保持する容器ホルダ保持部３３と、を備えている。
【００４１】
「インスツルメント５等を支持する」とは、固定手段や容器に入れて固定して支持するものの他、インスツルメント５をトレー等の載置手段に置いて支持するものなどの種々の支持手段を適用することができる。
【００４２】
図１に示すように、腰ベルト４１は、モジュール支持部３によって歯科診療モジュール２を保持した状態で、身体Ｍに装着できるように、種々のサイズ調整機能を備えて構成されている。腰ベルト４１の構成は、特に限定されるものではないので、詳細な説明は省略する。
【００４３】
なお、本実施形態においては、腰ベルト４１にモジュール支持部３を構成したが、これに限定されるものではなく、ショルダベルト４２にモジュール支持部３を備えることや腰ベルト４１とショルダベルト４２のそれぞれにモジュール支持部３を分割して備えること等も考えられる。
【００４４】
図２と図３に示すように、ショルダベルト４２は、腰ベルト４１の背部から肩部、および胸部を通って前部まで連結されている。背部では、背骨に沿って上下方向に延びた背部ベルト４２ａを備えている。肩部から左右に分かれてそれぞれ胸部を通る右前ベルト４２ｂと、左前ベルト４２ｃと、を備えている。
【００４５】
本実施形態においては、ショルダベルト４２と腰ベルト４１とを連結しているが、これに限定されるものでなく、連結せず、ショルダベルト４２と腰ベルト４１が独立していてもよい。
【００４６】
右前ベルト４２ｂ、左前ベルト４２ｃの少なくとも一方には、マイクロモータ導通送出管５２とスケーラ導通送出管５４とを支持する導通送出管支持部４３が配設されている。導通送出管支持部４３は、適切な保持力を付与して支持する帯状のバンドであり、身体Ｍ（図１参照）の肩部から胸部にかけて１ヶ所乃至複数ヶ所に設けられている。
【００４７】
なお、以下の説明において、説明の便宜上、マイクロモータ導通送出管５２およびスケーラ導通送出管５４は、それぞれ区別する必要がない場合には、総称して、導通送出管５２，５４と表記する。
【００４８】
図２と図３の例では、導通送出管支持部４３は、導通送出管５２，５４の両方を一緒に、右前ベルト４２ｂに沿って支持している。つまり、導通送出管５２，５４は、導通送出管支持部４３によって身体Ｍの背部から肩部に向かって上方へ延び、肩部から胸部を通って下方へ延びるようにして（図１参照）、右前ベルト４２ｂに沿って支持されている。
【００４９】
かかる構成により、導通送出管支持部４３は、適切な保持力を付与して支持することで、インスツルメント５をインスツルメント保持部３１に保持した状態から、図５に示すように、導通送出管５２，５４を後方へ引き戻したり（図５（ａ）参照）、前方へ送り出したりすることができる（図５（ｂ）参照）。
【００５０】
また、導通送出管支持部４３、導通送出管５２、５４の少なくとも一方は、樹脂部材を有することで適切な保持力を付与することができる。例えば、導通送出管支持部４３、導通送出管５２、５４のそれぞれに樹脂部材を備えることで、導通送出管支持部４３、導通送出管５２、５４の摩擦が軽減し、導通送出管５２，５４を後方へ引き戻したり（図５（ａ）参照）、前方へ送り出したり (図５（ｂ）参照）することが容易となる。
【００５１】
導通送出管支持部４３は、インスツルメント５をインスツルメント保持部３１に収容した収容時において、導通送出管５２，５４が身体Ｍの背部側で身体Ｍに対して余剰長さδを有するように導通送出管５２，５４を支持している。
【００５２】
ここで、余剰長さδは、インスツルメント５の収容時（図１参照）を基準にして定めることができる。導通送出管５２，５４は、身体Ｍの背部において制御ボックス８に連結され、身体Ｍの前部においてインスツルメント５に連結されているため、制御ボックス８からインスツルメント保持部３１までの長さを有する。
【００５３】
つまり、余剰長さδは、
δ＝（導通送出管５２，５４の長さ）―（身体Ｍに沿う背部から前部までの長さ）
として定めることができる。
また、（身体Ｍに沿う背部から前部までの長さ）は、ショルダベルト４２に沿う長さとほぼ同様である。
したがつて、
δ＝（導通送出管５２，５４の長さ）―（ショルダベルト４２に沿う長さ）
として定めることができる。
【００５４】
具体的には、図５（ａ）に示すように、導通送出管支持部４３は、マイクロモータ５１をインスツルメント保持部３１に収容した収容時において、マイクロモータ導通送出管５２が身体Ｍの背部側で身体Ｍに対して余剰長さδを有するようにスケーラ導通送出管５４を支持している。
【００５５】
一方、インスツルメント５の使用時において、導通送出管５２，５４が身体Ｍの胸部側で身体Ｍに対して余剰長さδを有するように導通送出管５２，５４を支持している。
具体的には、図５（ｂ）に示すように、導通送出管支持部４３は、スケーラ５３の使用時において、スケーラ導通送出管５４が身体Ｍの胸部側で身体Ｍに対して余剰長さδを有するようにスケーラ導通送出管５４を支持している。つまり、スケーラ導通送出管５４は、収容時における背部側の余剰長さδが胸部側の余剰長さδ１へ移動する。
【００５６】
また、使用時において、図５（ａ）に示すように、スケーラ導通送出管５４を収容時よりも後方へさらに引き戻すことができるため、スケーラ５３を自在に操作することができる。この場合には、スケーラ導通送出管５４は、背部側で弛み部Δが生じる。
【００５７】
これにより、導通送出管５２，５４が身体Ｍに対して余剰長さδを有することで、歯科医師等は、歯科診療の使用時においては、インスツルメント５を後方へ引き戻したり、前方へ送り出したり、上下左右へ移動させたりして、自在に操作することができる。
また、非診療時においては、インスツルメント５を容易にインスツルメント保持部３１に収容することができる。
【００５８】
図９に示すように、インスツルメント保持部３１は、インスツルメント５から身体を保護する身体保護手段である滅菌袋３４を備えている。滅菌袋３４は、身体Ｍとインスツルメント５が接触をしないようにインスツルメント５と身体Ｍとの間に介在させる部材であり、インスツルメント５を覆うように形成されている。
【００５９】
かかる構成により、インスツルメント５のインスツルメント保持部３１への収容時において、ハンドピースバー５１ａやスケーラチップ５３ａが身体Ｍに接触し、衛生面で支障が生じるのを回避することができる。滅菌袋３４を使用することで、滅菌処理が可能である。
【００６０】
また、１回の診療時にインスツルメント５を複数回使用した場合において、付着した血液や切削粉から歯科医師等の身体Ｍが汚染されるのを防止することができる。
【００６１】
図９に示した滅菌袋３４は、インスツルメント５を覆うように形成された筒状の収容具であるが、これに限定されるものではなく、身体保護手段は、ディスポーサブルの袋、身体Ｍとインスツルメント５の間に接触防止壁を設ける等、インスツルメント５の形状等を考慮して適宜、種々の形態を採用することができる。
【００６２】
滅菌済みのインスツルメント５を有した滅菌袋３４をインスツルメント保持部３１に取付けて、インスツルメント５を収容する。診療後、滅菌袋３４はインスツルメント保持部３１から取外しができる構成となる。
【００６３】
なお、本実施例おいては、滅菌袋３４により、身体保護手段を構成したが、これに限定するものでなく、滅菌可能なインスツルメント収容具等を備えていてもよい。
【００６４】
以上のように構成された本発明の第１の実施形態に係る装着型歯科診療装置１は、以下のような作用効果を奏する。
つまり、装着型歯科診療装置１は、歯科診療に必要なインスツルメント５を歯科医師等の身体Ｍに装着して診療することができるため、訪問先での歯科診療に特に好適である。インスツルメント５を収容するインスツルメント保持部３１を備えたことで、診療に使用するインスツルメント５を自在に取り出したり、収容したりすることができる。
【００６５】
装着型歯科診療装置１は、歯科医師等が診療室で使用することもできるが、患者の自宅、被災地の避難施設、病院、看護施設等の多様な歯科診療現場において、特に好適に使用することができる。
【００６６】
続いて、本発明の第２の実施形態に係る装着型歯科診療装置１Ａについて、図６と図７を参照しながら説明する。
装着型歯科診療装置１Ａは、図６に示すように、インスツルメント５としてシリンジ５５を適用する場合の歯科診療モジュール２Ａを身体Ｆに装着して歯科医師等が診療するため医療器具である。シリンジ５５は、診療液Ｈやエアを患部に供給する器具である。
【００６７】
装着型歯科診療装置１Ａは、歯科診療モジュール２Ａを保持するモジュール支持部３Ａと、モジュール支持部３Ａを身体Ｆに装着する装着具４Ａと、を備えている。
【００６８】
図７に示すように、装着型歯科診療装置１Ａにおける歯科診療モジュール２Ａは、シリンジ５５に診療液Ｈおよび圧縮エアＲを供給する診療流体供給装置６Ａを備えている。
診療流体供給装置６Ａは、圧縮エアＲが充填されたエアタンク６３と、診療液Ｈが貯留された診療液タンク６４と、この診療液タンク６４とエアタンク６３とを連通する連通管６５と、エアタンク６３および診療液タンク６４とシリンジ５５とを連通する送出管６６と、を備えている。
【００６９】
送出管６６は、エアタンク６３とシリンジ５５とを連通する送出管６６ａと、診療液タンク６４とシリンジ５５とを連通する送出管６６ｂと、三方弁６７と、開閉弁６８と、開閉弁６９と、を備えている。送出管６６ａと送出管６６ｂは、インスツルメント５に必要な診療液Ｈ、圧縮エア等を供給するための導通送出管を構成する。
【００７０】
エアタンク６３は、外部コンプレッサＣ（図４参照）等から予め圧縮エアＲを充填した圧力容器である。診療液タンク６４は、貯留容器６１（図４参照）と同様の構成である。三方弁６７は、エアタンク６３から圧縮エアＲを連通管６５へ供給する流路と、エアタンク６３から圧縮エアＲを送出管６６ａへ供給する流路と、を選択する弁である。
【００７１】
シリンジ５５は、操作部５５ａを備えている。操作部５５ａは、図示しない注液ボタンと、エアスプレーボタンと、を備えている。歯科医師等が注液ボタンを操作すると、三方弁６７を介してエアタンク６３から連通管６５を通って圧縮エアＲが診療液タンク６４に供給される。そうすると、診療液タンク６４内の圧力が高められる。これにより、診療液Ｈは、診療液タンク６４から開閉弁６９を介して送出管６６ｂを通ってシリンジ５５に供給される。
【００７２】
歯科医師等がエアスプレーボタンを操作すると、三方弁６７および開閉弁６８を介してエアタンク６３から圧縮エアＲが、送出管６６ａを通ってシリンジ５５に供給される。
【００７３】
装着具４Ａは、図６に示すように、インスツルメント５等を保持するモジュール支持部３Ａを有するバッグ４４と、バッグ４４に連結されたショルダベルト４５と、ショルダベルト４５に設けられた導通送出管支持部４６を備えている。
【００７４】
バッグ４４には、エアタンク６３、診療液タンク６４等が収容されている。導通送出管支持部４６は、送出管６６を適切な保持力を付与して支持する。装着具４Ａの作用効果は、前記した第１の実施形態における装着具４と同様であるので、重複する詳細な説明は省略する。
【００７５】
なお、本実施形態においては、インスツルメント５としてシリンジ５５を適用する場合について説明したが、シリンジ５５に限定されるものではなく、シリンジ５５に代えて圧縮エアを駆動エネルギーとするエアタービンやエアスケーラ(不図示)等の治療器具を適用することもできる。
【００７６】
また、制御部８３および操作部８４に関しても圧縮エアを用いて制御することで、電池、外部電源等を必要としない構成をとることもできる。
【００７７】
続いて、本発明の第３の実施形態に係る装着型歯科診療装置１Ｂについて、図８を参照しながら説明する。
装着型歯科診療装置１Ｂは、第１の実施形態に係る装着型歯科診療装置１における注液装置６のポンプ６２、およびエア供給部８１の外部コンプレッサＣ（図４参照）に代えて、第２の実施形態に係る診療流体供給装置６Ａ（図７参照）を適用したものである。このため、第１の実施形態と同様の構成については、同じ符号を使用して重複する詳細な説明は省略する。
【００７８】
装着型歯科診療装置１Ｂは、インスツルメント５に診療液Ｈおよび圧縮エアＲを供給する診療流体供給装置６Ｂを備えている。
診療流体供給装置６Ｂは、エアタンク６３と、診療液タンク６４と、連通管６５と、エアタンク６３および診療液タンク６４とインスツルメント５とを連通する送出管６６と、を備えている。
【００７９】
送出管６６は、エアタンク６３とエア供給管８１ｂとを連通する送出管６６ａと、診療液タンク６４とインスツルメント５とを連通する送出管６６ｂと、三方弁６７と、を備えている。
【００８０】
エアタンク６３は、外部コンプレッサＣ（図４参照）等から予め圧縮エアＲを充填した圧力容器である。非診療時において、エアタンク６３に圧縮エアＲを充填する場合には、エア充填接続部８１ａに外部コンプレッサＣを接続する。また、診療時において、エア充填接続部８１ａに外部コンプレッサＣを接続した状態で、圧縮エアＲを充填しながら使用することもできる。診療流体供給装置６Ｂの作用効果は、第２の実施形態における診療流体供給装置６Ａと同様であるから、重複する詳細な説明は省略する。
【００８１】
以上、本発明の実施形態について説明したが、本発明は、前記した実施形態に限定されず、適宜変形して実施することが可能である。例えば、本実施形態においては、腰ベルト４１やショルダベルト４２、バッグ４４等について説明したが、これに限定されるものではなく、身体Ｍ、Ｆに装着できるものであれば、ショルダベルト４２を使用せずに腰ベルト４１でもよいし、身につけて使用する着衣型、腰ベルト４１を使用せずショルダベルト４２を使用して背中に背負うリュック型等の種々の形態を採用することができる。また、腰ベルト４１と着衣型等の種々の形態を組み合わせて使用することもできる。
【符号の説明】
【００８２】
１，１Ａ，１Ｂ      装着型歯科診療装置
２，２Ａ，２Ｂ      歯科診療モジュール
３，３Ａ      モジュール支持部
４，４Ａ      装着具
５      インスツルメント
６      注液装置
６Ａ，６Ｂ    診療流体供給装置
８      制御ボックス
３１    インスツルメント保持部（モジュール支持部）
３２    制御ボックス保持部（モジュール支持部）
３３    容器ホルダ保持部（モジュール支持部）
３４    滅菌袋(身体保護手段)
４１    腰ベルト（装着具）
４２    ショルダベルト（装着具）
４３    導通送出管支持部
４４    バッグ（装着具）
４５    ショルダベルト（装着具）
４６    導通送出管支持部
５１    マイクロモータ（インスツルメント）
５２    マイクロモータ導通送出管
５２ａ  ケーブル（導通管）
５２ｂ  診療液配管（送出管）
５２ｃ  電磁弁
５３    スケーラ（インスツルメント）
５４    スケーラ導通送出管
５４ａ  ケーブル（導通管）
５４ｂ  診療液配管（送出管）
５４ｃ  電磁弁
５５    シリンジ（インスツルメント）
６１    貯留容器
６３    エアタンク
６４    診療液タンク
６５    連通管
６６    送出管
８１    エア供給部
８１ａ  エア充填接続部
８１ｂ  エア供給管（送出管）
８２    電源部(エネルギー供給部)
８３    制御部
８４    操作部
８５    操作部保持部
Ｈ      診療液
ＨＰ    ハンドピース
【図１】
2019017725.tif 000003
【図２】
2019017725.tif 000004
【図３】
2019017725.tif 000005
【図４】
2019017725.tif 000006
【図５】
2019017725.tif 000007
【図６】
2019017725.tif 000008
【図７】
2019017725.tif 000009
【図８】
2019017725.tif 000010
【図９】
2019017725.tif 000011
【手続補正書】
【提出日】平成30年6月15日(2018.6.15)
【手続補正１】
【補正対象書類名】特許請求の範囲
【補正対象項目名】請求項９
【補正方法】変更
【補正の内容】
【請求項９】
前記歯科診療モジュールは、前記インスツルメントに診療液を供給する注液装置をさらに有し、
前記注液装置は、貯留容器に貯留された前記診療液を大気圧に開放した状態で吸引するポンプと、このポンプから前記診療液を前記インスツルメントへ供給する送出管と、を備えたこと、
を特徴とする請求項２に記載の装着型歯科診療装置。
【手続補正２】
【補正対象書類名】特許請求の範囲
【補正対象項目名】請求項１０
【補正方法】変更
【補正の内容】
【請求項１０】
前記歯科診療モジュールは、前記インスツルメントに診療液を供給する注液装置をさらに有し、
前記注液装置は、前記診療液が貯留された貯留容器に圧縮エアを供給する供給管と前記診療液を前記インスツルメントへ供給する送出管と、を備えたこと、
を特徴とする請求項２に記載の装着型歯科診療装置。